(57)【要約】【課題】  レンズ毛細管アッセンブリの光軸調整を適切且つ容易に行えるようにすると共に、光学特性や耐候性等の性能面において高い信頼性が得られる光デバイスを提供する。【解決手段】  光ファイバ２ａ、２ｂ、２ｃが挿入固定された毛細管３ａ、３ｂを保持スリーブ４ａ、４ｂの内孔に挿入してなると共に保持スリーブ４ａ、４ｂの先端にレンズ５ａ、５ｂを固定してなるレンズ毛細管アッセンブリ６、７を一対備え、この一対のレンズ毛細管アッセンブリ６、７をそれぞれのレンズ５ａ、５ｂが対向するように配置し且つその両レンズ５ａ、５ｂ間に光機能部品１０を介装し、光機能部品１０を収容する収容部材８の内孔に一対の保持スリーブ４ａ、４ｂを挿入してなり、少なくとも一方のレンズ毛細管アッセンブリ６は、毛細管３ａと保持スリーブ４ａとを軸芯廻りに相対回転させつつ保持スリーブ４ａと収容部材８とを軸芯廻りに相対回転させてレンズ毛細管アッセンブリ６の光軸を調整する。【選択図】図１
2008164828.tif 000002
【特許請求の範囲】
【請求項１】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスの光軸調整方法であって、
少なくとも一方のレンズ毛細管アッセンブリは、毛細管と保持スリーブとを軸芯廻りに相対回転させつつ該保持スリーブと収容部材とを軸芯廻りに相対回転させて該レンズ毛細管アッセンブリの光軸を調整することを特徴とする光デバイスの光軸調整方法。
【請求項２】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、
少なくとも一方のレンズ毛細管アッセンブリは、毛細管と保持スリーブとを軸芯廻りに相対回転させつつ該保持スリーブと収容部材とを軸芯廻りに相対回転させて該レンズ毛細管アッセンブリの光軸を調整するように構成されていることを特徴とする光デバイス。
【請求項３】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、
少なくとも一方のレンズ毛細管アッセンブリは、保持スリーブの内孔よりもレンズの基端面が大径とされ且つ該保持スリーブの先端面にレンズの基端面が固定されると共に、該レンズの最大外径部の外周面と収容部材の内周面との間のクリアランスが、保持スリーブの外周面と収容部材の内周面との間の接着剤充填用クリアランスよりも大きく設定されていることを特徴とする光デバイス。
【請求項４】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、
一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記一対のレンズ毛細管アッセンブリは、それぞれの毛細管と保持スリーブとの全てが収容部材の内孔に同軸上に配置されていることを特徴とする光デバイス。
【請求項５】
前記一対のレンズ毛細管アッセンブリのそれぞれのレンズは、両者共に中心軸が傾斜して配設されていることを特徴とする請求項４に記載の光デバイス。
【請求項６】
保持スリーブの内孔に光ファイバが挿入固定された毛細管を挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、
一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において２分割され、その分割された一方の第１収容部材と他方の第２収容部材とは内孔が偏心した状態で固定され、且つ、第１収容部材の内孔に第１レンズ毛細管アッセンブリの毛細管と保持スリーブとが同軸上に配置され、第２収容部材の内孔に第２レンズ毛細管アッセンブリの毛細管と保持スリーブとが同軸上に配置されていることを特徴とする光デバイス。
【請求項７】
前記第１レンズ毛細管アッセンブリのレンズは中心軸が非傾斜状態に配設され、前記第２レンズ毛細管アッセンブリのレンズは中心軸が傾斜して配設されていることを特徴とする請求項６に記載の光デバイス。
【請求項８】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、
一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において２分割され、その分割された一方の第１収容部材と他方の第２収容部材とは内孔が偏心せずに固定され、且つ、第１収容部材の内孔に第１レンズ毛細管アッセンブリの毛細管と保持スリーブとが同軸上に配置され、第２レンズ毛細管アッセンブリの保持スリーブは軸方向において２分割され、その分割された先端側の保持スリーブの先端にレンズが固定されて基端側の保持スリーブの内孔に単芯用の毛細管が挿入され、第２収容部材の内孔に前記先端側の保持スリーブが挿入され、該先端側の保持スリーブの基端に偏心して前記基端側の保持スリーブが固定されていることを特徴とする光デバイス。
【請求項９】
前記第１レンズ毛細管アッセンブリのレンズ及び前記第２レンズ毛細管アッセンブリのレンズは、中心軸が非傾斜状態に配設されていることを特徴とする請求項８に記載の光デバイス。
【請求項１０】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスであって、
一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において３分割され、その分割された軸方向両端側の第１収容部材及び第２収容部材は、軸方向中央部の第３収容部材を介在させて内孔が偏心した状態で固定され、且つ、第１収容部材の内孔に第１レンズ毛細管アッセンブリの毛細管と保持スリーブとが同軸上に配置され、第２収容部材の内孔に第２レンズ毛細管アッセンブリの毛細管と保持スリーブとが同軸上に配置され、第３収容部材の内周側部位に光機能部品が取り付けられていることを特徴とする光デバイス。
【請求項１１】
前記第１レンズ毛細管アッセンブリのレンズは中心軸が非傾斜状態に配設され、前記第２レンズ毛細管アッセンブリのレンズは中心軸が傾斜して配設されていることを特徴とする請求項１０に記載の光デバイス。
【請求項１２】
光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスであって、
一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において３分割され、その分割された軸方向両端側の第１収容部材及び第２収容部材は、軸方向中央部の第３収容部材を介在させて内孔が偏心せずに固定され、且つ、第１収容部材の内孔に第１レンズ毛細管アッセンブリの毛細管と保持スリーブとが同軸上に配置され、第２レンズ毛細管アッセンブリの保持スリーブは軸方向において２分割され、その分割された先端側の保持スリーブの先端にレンズが固定されて基端側の保持スリーブの内孔に単芯用の毛細管が挿入され、第２収容部材の内孔に前記先端側の保持スリーブが挿入され、該先端側の保持スリーブの基端に偏心して前記基端側の保持スリーブが固定され、第３収容部材の内周側部位に光機能部品が取り付けられていることを特徴とする光デバイス。
【請求項１３】
前記第１レンズ毛細管アッセンブリのレンズ及び前記第２レンズ毛細管アッセンブリのレンズは中心軸が非傾斜状態に配設されていることを特徴とする請求項１２に記載の光デバイス。
【請求項１４】
前記一対のレンズ毛細管アッセンブリの少なくとも一方のレンズは、半球状を呈すると共に、その基端面をなす平面部がそれぞれの保持スリーブの先端面に固定されていることを特徴とする請求項２〜１３の何れかに記載の光デバイス。
【請求項１５】
前記一対のレンズ毛細管アッセンブリの少なくとも一方のレンズは、球レンズの一部を加工することにより製作されてなることを特徴とする請求項１４に記載の光デバイス。
【発明の詳細な説明】
【技術分野】
【０００１】
本発明は、光デバイス及びその光軸調整方法に係り、詳しくは、保持スリーブの内孔に光ファイバが挿入固定された毛細管を挿入してなると共に保持スリーブの先端にレンズを固定してなる一対のレンズ毛細管アッセンブリをそれぞれのレンズが対向するように配置し且つその両レンズ間に光機能部品を介装してなる光デバイス及びその光軸調整方法に関する。
【背景技術】
【０００２】
近年においては、光通信システムに用いられる光デバイスとして、光合分波器、光アイソレータ、光サーキュレータ、光スイッチ、光利得等価器等が広汎に渡って使用されるに至っている。この種の光デバイスとしては、光ファイバの端部が固定された毛細管とレンズとを共通のスリーブに接着剤等で固定したレンズ毛細管アッセンブリを一対作製し、この一対のレンズ毛細管アッセンブリをレンズ同士が光機能部品（光学フィルタ、光アイソレータコア等）を介して対向するように収容部材（円筒部材や箱部材）の内部に接着剤等で固定したものが公知となっている（例えば下記の特許文献１〜４）。
【０００３】
この場合、一対のレンズ毛細管アッセンブリの各レンズは、光ファイバから出射された光を平行光にし、また、平行光を集光して光ファイバに入射させる機能を有するものである。このレンズとしては、屈折率分布型のＧＲＩＮレンズと称される円柱状レンズ（一端が光軸と直交する垂直面であって他端が傾斜面とされる場合が多い）、同一の曲率中心を有する２つの部分球面状のレンズ面を両端に設けたドラムレンズと称される均一屈折率の円柱状レンズ、部分球面状のレンズ面を一端に設けたＣレンズと称される均一屈折率の円柱状レンズ（他端が傾斜面とされる場合が多い）、非球面レンズ等が用いられる。
【０００４】
そして、下記の特許文献５によれば、２本の光ファイバが挿入固定された毛細管を保持スリーブの内孔に挿入してなると共に該保持スリーブの内孔における毛細管よりも先端側位置にレンズを挿入固定してなるレンズ毛細管アッセンブリを一対備え、この一対のレンズ毛細管アッセンブリをレンズ同士が光機能部品（フィルタ）を介して対向するように収容部材の内部に固定した光デバイスが開示されている。
【０００５】
また、下記の特許文献６によれば、１本の光ファイバを通る２波長の多重光を２本の光ファイバに分波し、または２本の光ファイバをそれぞれ通る異なる波長の単一光を１本の光ファイバに合波する光分波合波器が開示されている。この光分波合波器の構成は、４本の光ファイバが挿入固定された４芯用の毛細管とその先端に当接されたレンズ（分布屈折率ロッドレンズ）とを第１整列スリーブの内孔に挿入してなるレンズ毛細管アッセンブリを一対備え、この一対のレンズ毛細管アッセンブリをレンズ同士が光機能部品（ミラー被膜が表面に付されたガラス板）を介して対向するように固定したものである。この場合、一対のレンズ毛細管アッセンブリは、両レンズが第２整列スリーブ（収容部材）の内孔に挿入されることにより固定されている。そして、一方のレンズ毛細管アッセンブリは、４本の光ファイバのうち軸直角断面で対角線上にある２本の光ファイバを使用し、他方のレンズ毛細管アッセンブリは、４本の光ファイバのうち１本のみを使用することにより、両レンズ毛細管アッセンブリを偏心させることなく配列させ得る構造となっている。
【０００６】
更に、下記の特許文献７では、光ファイバとレンズとの間で光軸調整を可能にするため、光ファイバの端部が固定された毛細管（フェルール）をスリーブの凹状部に埋設した毛細管アッセンブリと、レンズを円筒状ブッシュ内に固定したレンズアッセンブリとを作製し、毛細管アッセンブリとレンズアッセンブリとの相対位置を調整して、光ファイバとレンズとの間の光軸調整を行った後、スリーブの端面と円筒状ブッシュの端面とが相互に固定される。この場合、光ファイバの先端面、及びこれを保持した毛細管の端面は球面状に研磨され、毛細管がスリーブによって加圧されることにより、光ファイバの先端面はレンズの入出射面とＰＣ接触（Physical Contact）している。そして、レンズとしては、ＧＲＩＮレンズが用いられると共に、光機能部品としてのフィルタは、レンズアッセンブリとは別の部材（ベース部材７ｂ）に固定されて、相対向するレンズアッセンブリ間に介装されている。
【０００７】
【特許文献１】特開２００２−１８２０６１号公報
【特許文献２】特開２００３−３４４６９７号公報
【特許文献３】特開２００５−１０３７２号公報
【特許文献４】特開２００５−２４９２８号公報
【特許文献５】特許第３１３５５１１号公報
【特許文献６】特許第３１２４４６７号公報
【特許文献７】特開２００４−２７１８９４号公報
【発明の開示】
【発明が解決しようとする課題】
【０００８】
ところで、上記の特許文献５、６に開示されているように、一対のレンズ毛細管アッセンブリをレンズ同士が光機能部品を介して対向するように収容部材の内部に固定した構成の光デバイスでは、各レンズ毛細管アッセンブリにおいて、入出射する光の光軸がスリーブの中心軸或いは要求される径方向位置と一致しないことが多い。そのため、光機能部品を予め固定した収容部材の内部に各レンズ毛細管アッセンブリを挿入した状態で、最適な光学調芯状態となるように各レンズ毛細管アッセンブリの位置を調整する必要がある。そして、その位置調整を可能にするためには、各レンズ毛細管アッセンブリのスリーブの外周と収容部材の内周との間に比較的大きなクリアランス（直径差）を確保しなければならない。その結果、各レンズ毛細管アッセンブリのスリーブの外周を収容部材の内周に接着剤で固定する際には、上記クリアランスに比較的多量の接着剤が入ることになり、該接着剤の硬化収縮や経年劣化に起因して、完成品である光デバイスの光学特性や耐候性等の性能面において、高い信頼性が得られない場合があった。
【０００９】
特に、近年、光通信の分野では、マルチメディア情報社会の進展に伴い、高速度光通信や、波長多重通信（ＷＤＭ）、高密度波長多重通信（ＤＷＤＭ）などの必要性が高まっており、これら通信システムに用いられる光デバイスに対して、より高エネルギーの光が入出力される条件下での信頼性向上が要求されるようになってきた。この種の光デバイスにおける比較的多量の接着剤の使用は、高エネルギーの入出力光に起因する光デバイスの温度上昇に伴い、接着剤の熱劣化の懸念を増大させることになる。また、接着剤が入出力光の光路中にある場合、条件によっては、接着剤が入出力光の高エネルギーに耐えられず、焼損等の破損を起こす可能性があることも予想される。
【００１０】
また、上記の特許文献７に開示された光デバイスは、２つのレンズと、光機能部品（フィルタ）とが、それぞれ個別にアッセンブリされており、左右のベース部材（７ａ、７ｂ）と左右一対の毛細管アッセンブリを含めると、合計６つのエレメントを積層して相互に固定した構造になっている。しかも、一方の毛細管アッセンブリには２本の光ファイバが挿入固定され、他方の毛細管アッセンブリには１本の光ファイバが挿入されている関係上、この一対の毛細管アッセンブリは偏心した状態で固定されている。このような構造であると、各エレメントの光軸調整、特に径方向の光軸調整が極めて困難となり、その作業が複雑化するばかりでなく、光軸調整に要する労苦が多大となり、結果的には製造コストが高くなる。
【００１１】
本発明の課題は、レンズ毛細管アッセンブリの光軸調整を適切且つ容易に行えるようにすることである。
【００１２】
本発明の他の課題は、光学特性や耐候性等の性能面において、高い信頼性が得られる光デバイスを提供することである。
【課題を解決するための手段】
【００１３】
上記課題を解決するための第１の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスの光軸調整方法であって、少なくとも一方のレンズ毛細管アッセンブリは、毛細管と保持スリーブとを軸芯廻りに相対回転させつつ該保持スリーブと収容部材とを軸芯廻りに相対回転させて該レンズ毛細管アッセンブリの光軸を調整することに特徴づけられる。ここで、光機能部品は、ＷＤＭフィルタ、バンドパスフィルタ、長波長透過／反射フィルタ、短波長透過／反射フィルタ、補正用利得等価フィルタ等の光学フィルタや光アイソレータコア等である（以下、同様）
【００１４】
このような方法によれば、従来のように保持スリーブにレンズと毛細管とを固定してレンズ毛細管アッセンブリを製作した後にその光軸調整をするのではなく、保持スリーブにレンズを固定した状態で、該保持スリーブと毛細管との間及び該保持スリーブと収容部材との間の２箇所で相対回転を生じさせて光軸調整をすることになる。即ち、光軸調整をする場合の自由度が増大することになるため、正確な光軸調整を容易に行い得ることになる。しかも、１箇所の相対回転部位についてはクリアランスを小さくしてオフセットを可及的に低減できるため、それらのクリアランスに接着剤を充填した場合における接着剤層を薄くできると同時に、該接着剤層の周方向における厚みのバラツキを適切に抑制できることになる。これにより、温度変化に対する特性が良くなるばかりでなく、湿度に対する膨潤状態が均質になり、光学特性や耐候性等の性能面において高い信頼性を有する光デバイスを得ることが可能となる。
【００１５】
上記課題を解決するための第２の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、少なくとも一方のレンズ毛細管アッセンブリは、毛細管と保持スリーブとを軸芯廻りに相対回転させつつ該保持スリーブと収容部材とを軸芯廻りに相対回転させて該レンズ毛細管アッセンブリの光軸を調整するように構成されたことに特徴づけられる。
【００１６】
このような構成によれば、上記第１の手段と同様の作用効果を得ることができる。
【００１７】
上記課題を解決するための第３の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、少なくとも一方のレンズ毛細管アッセンブリは、保持スリーブの内孔よりもレンズの基端面が大径とされ且つ該保持スリーブの先端面にレンズの基端面が固定されると共に、該レンズの最大外径部の外周面と収容部材の内周面との間のクリアランスが、保持スリーブの外周面と収容部材の内周面との間の接着剤充填用クリアランスよりも大きく設定されていることに特徴づけられる。
【００１８】
このような構成によれば、レンズ毛細管アッセンブリにおける保持スリーブの内孔よりもレンズの基端面が大径とされ且つ該保持スリーブの先端面にレンズの基端面が固定される構造であるため、レンズの形状や大きさが保持スリーブ及び毛細管の影響を受け難くなる。これにより、レンズの設計の自由度が増大して、レンズを小型にした上で適切な曲率半径の曲面を形成できることになると共に、ビーム直径等の光学特性が制約を受け難くなり、好適な光学特性を得ることが可能となる。また、保持スリーブ及び毛細管もレンズの大きさ等による制約を受け難くなって小型にすることができ、レンズの小型化と相俟って、光デバイスの全体的な小型化が図られる。更に、レンズと保持スリーブとの間に熱膨脹差があっても、両者の膨張や収縮が相互に悪影響を及ぼすことを抑制できると共に、特にレンズに応力が集中することによる屈折率や光分散などの光学特性の狂いが抑制され、安定した光学特性が得られることになる。しかも、レンズの最大外径部の外周面と収容部材の内周面との間のクリアランスが、保持スリーブの外周面と収容部材の内周面との間の接着剤充填用クリアランスよりも大きく設定されていることから、接着剤充填前に光軸調整を行う際には、収容部材に対して保持スリーブを相対回転させても、レンズと収容部材とが干渉しなくなる。従って、レンズと保持スリーブとの外径を同径とした場合と比較して、保持スリーブを所定の角度だけ傾斜させるために必要なクリアランスを小さくすることができ、ひいては接着剤層を薄くしてそのバラツキを抑制することができ、これに伴う既述の利点を享受することができる。
【００１９】
上記課題を解決するための第４の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記一対のレンズ毛細管アッセンブリは、それぞれの毛細管と保持スリーブとの全てが収容部材の内孔に同軸上に配置されていることに特徴づけられる。
【００２０】
このような構成によれば、一対のレンズ毛細管アッセンブリにおけるそれぞれの毛細管と保持スリーブとの全てが収容部材の内孔に同軸上に配置されているため、収容部材を含めて各部品の加工が容易になると共に、組み立ても容易に行えることになる。換言すれば、各部品を正確に加工できると共に、組み立ても正確に行えることになるため、光軸調整を行うためのクリアランスを小さくしてバラツキを抑制することができ、ひいては接着剤層を薄くしてその肉厚のバラツキをなくすことができ、これに伴う既述の利点を享受することが可能となる。しかも、第２レンズ毛細管アッセンブリの製作に、中心軸上に光ファイバ挿通用の単一の孔が形成された安価な単芯用の毛細管を使用できるため、光デバイスの低コスト化が図られる。
【００２１】
この場合、第１レンズ毛細管アッセンブリを、２本の光ファイバが使用される構成とするためには、第１番目の光ファイバ使用態様として、３芯用の毛細管を利用して、毛細管の中心軸上に挿入固定された光ファイバとその両側に隣接して挿入固定された光ファイバとの計３本の光ファイバのうち、中心軸上の光ファイバとそれ以外の何れか一方の光ファイバとを使用するか、或いはこの２本の光ファイバと同位置に孔を有する２芯用の毛細管を作製して、この毛細管の各孔に挿入固定された２本の光ファイバを使用することが挙げられる。また、第２番目の光ファイバ使用態様として、４芯用の毛細管を利用して、毛細管の中心軸の廻りに均等に挿入固定された４本の光ファイバのうち、隣り合う２本の光ファイバを使用するか、或いはこの２本の光ファイバと同位置に孔を有する２芯用の毛細管を作製して、この毛細管の各孔に挿入固定された２本の光ファイバを使用することが挙げられる。
【００２２】
そして、この第４の手段において、一対のレンズ毛細管アッセンブリのそれぞれのレンズは、両者共に中心軸が傾斜して配設されていることが好ましい。
【００２３】
この場合、レンズの傾斜の態様は、一方のレンズ毛細管アッセンブリのレンズと、他方のレンズ毛細管アッセンブリのレンズとが、光機能部品の両側で相対称となるように傾斜する第１番目のレンズ傾斜態様と、この第１番目のレンズ傾斜態様から一方のレンズのみが保持スリーブの軸芯廻りに９０度回転した状態で傾斜する第２番目のレンズ傾斜態様とがある。そして、第１番目のレンズ傾斜態様が採用される場合には、上述の第１番目の光ファイバ使用態様が採用され、また第２番目のレンズ傾斜態様が採用される場合には、上述の第２番目の光ファイバ使用態様が採用される。
【００２４】
上記課題を解決するための第５の手段は、保持スリーブの内孔に光ファイバが挿入固定された毛細管を挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において２分割され、その分割された一方の第１収容部材と他方の第２収容部材とは内孔が偏心した状態で固定され、且つ、第１収容部材の内孔に第１レンズ毛細管アッセンブリの毛細管と保持スリーブとが同軸上に配置され、第２収容部材の内孔に第２レンズ毛細管アッセンブリの毛細管と保持スリーブとが同軸上に配置されていることに特徴づけられる。
【００２５】
このような構成によれば、収容部材が一方の第１収容部材と他方の第２収容部材とに２分割され、その両収容部材は内孔が偏心した状態で固定されるため、光軸調整はその偏心度合いを調整することによっても行えることになる。従って、各レンズ毛細管アッセンブリの毛細管と保持スリーブとの間のクリアランス及び各保持スリーブと各収容部材との間のクリアランスをより一層小さくし且つそのバラツキをより一層なくすことができ、極めて優れた接着剤層を形成することができる。尚、第２レンズ毛細管アッセンブリが１本の光ファイバのみを単芯用の毛細管の中心軸上に挿入固定することによる利点は、上述の第４の手段で既に述べた通りである。
【００２６】
この第５の手段において、第１レンズ毛細管アッセンブリのレンズは中心軸が非傾斜状態に配設され、第２レンズ毛細管アッセンブリのレンズは中心軸が傾斜して配設されていることが好ましい。
【００２７】
このようにすれば、第１レンズ毛細管アッセンブリの保持スリーブの先端面を傾斜させなくてもよいことになるので、その製作容易化が図られる。
【００２８】
上記課題を解決するための第６の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入して構成された光デバイスであって、一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において２分割され、その分割された一方の第１収容部材と他方の第２収容部材とは内孔が偏心せずに固定され、且つ、第１収容部材の内孔に第１レンズ毛細管アッセンブリの毛細管と保持スリーブとが同軸上に配置され、第２レンズ毛細管アッセンブリの保持スリーブは軸方向において２分割され、その分割された先端側の保持スリーブの先端にレンズが固定されて基端側の保持スリーブの内孔に単芯用の毛細管が挿入され、第２収容部材の内孔に前記先端側の保持スリーブが挿入され、該先端側の保持スリーブの基端に偏心して前記基端側の保持スリーブが固定されていることに特徴づけられる。
【００２９】
このような構成によれば、収容部材が一方の第１収容部材と他方の第２収容部材とに内孔が偏心せずに２分割され、第１収容部材には保持スリーブ及び毛細管が偏心せずに配置され、第２収容部材には基端側の保持スリーブ及び毛細管が偏心して配置されるため、光軸調整はその偏心度合いを調整することによっても行えることになる。従って、各レンズ毛細管アッセンブリの毛細管と保持スリーブとの間のクリアランス及び各保持スリーブと各収容部材との間のクリアランスをより一層小さくし且つそのバラツキをより一層なくすことができ、極めて優れた接着剤層を形成することができる。尚、第２レンズ毛細管アッセンブリが１本の光ファイバのみを単芯用の毛細管の中心軸上に挿入固定することによる利点は、上述の第４の手段で既に述べた通りである。
【００３０】
この第６の手段において、第１レンズ毛細管アッセンブリのレンズ及び第２レンズ毛細管アッセンブリのレンズは、中心軸が非傾斜状態に配設されていることが好ましい。
【００３１】
このようにすれば、第１レンズ毛細管アッセンブリ及び第２レンズ毛細管アッセンブリの両保持スリーブの先端面を傾斜させなくてもよいことになるので、その更なる製作容易化が図られる。
【００３２】
上記課題を解決するための第７の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスであって、一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において３分割され、その分割された軸方向両端側の第１収容部材及び第２収容部材は、軸方向中央部の第３収容部材を介在させて内孔が偏心した状態で固定され、且つ、第１収容部材の内孔に第１レンズ毛細管アッセンブリの毛細管と保持スリーブとが同軸上に配置され、第２収容部材の内孔に第２レンズ毛細管アッセンブリの毛細管と保持スリーブとが同軸上に配置され、第３収容部材の内周側部位に光機能部品が取り付けられていることに特徴づけられる。
【００３３】
このような構成によれば、光機能部品を取り付けてなる第３収容部材が、第１収容部材及び第２収容部材の相互間に別体として固定されているため、上記第５の手段による利点に加えて、各レンズ毛細管アッセンブリと光機能部品との位置調整が正確且つ容易に行えるという利点が得られる。
【００３４】
この第７の手段において、第１レンズ毛細管アッセンブリのレンズは中心軸が非傾斜状態に配設され、第２レンズ毛細管アッセンブリのレンズは中心軸が傾斜して配設されていることが好ましい。
【００３５】
このようにすれば、既に第５の手段との関連において説明した事項と同一の利点が得られる。
【００３６】
上記課題を解決するための第８の手段は、光ファイバが挿入固定された毛細管を保持スリーブの内孔に挿入してなると共に該保持スリーブの先端にレンズを固定してなるレンズ毛細管アッセンブリを一対備え、この一対のレンズ毛細管アッセンブリをそれぞれのレンズが対向するように配置し且つその両レンズ間に光機能部品を介装し、該光機能部品を収容する収容部材の内孔に前記一対の保持スリーブを挿入してなる光デバイスであって、一方の第１レンズ毛細管アッセンブリは２本の光ファイバが使用され且つ他方の第２レンズ毛細管アッセンブリは１本の光ファイバのみが単芯用の毛細管の中心軸上に挿入固定されると共に、前記収容部材は軸方向において３分割され、その分割された軸方向両端側の第１収容部材及び第２収容部材は、軸方向中央部の第３収容部材を介在させて内孔が偏心せずに固定され、且つ、第１収容部材の内孔に第１レンズ毛細管アッセンブリの毛細管と保持スリーブとが同軸上に配置され、第２レンズ毛細管アッセンブリの保持スリーブは軸方向において２分割され、その分割された先端側の保持スリーブの先端にレンズが固定されて基端側の保持スリーブの内孔に単芯用の毛細管が挿入され、第２収容部材の内孔に前記先端側の保持スリーブが挿入され、該先端側の保持スリーブの基端に偏心して前記基端側の保持スリーブが固定され、第３収容部材の内周側部位に光機能部品が取り付けられていることに特徴づけられる。
【００３７】
このような構成によれば、光機能部品を取り付けてなる第３収容部材が、第１収容部材及び第２収容部材の相互間に別体として固定されているため、上記第６の手段による利点に加えて、各レンズ毛細管アッセンブリと光機能部品との位置調整が正確且つ容易に行えるという利点が得られる。
【００３８】
この第８の手段において、第１レンズ毛細管アッセンブリのレンズ及び第２レンズ毛細管アッセンブリのレンズは、中心軸が非傾斜状態に配設されていることが好ましい。
【００３９】
このようにすれば、既に第６の手段との関連において説明した事項と同一の利点が得られる。
【００４０】
上記第２〜第８の手段において、一対のレンズ毛細管アッセンブリの少なくとも一方のレンズは、半球状を呈すると共に、その基端面をなす平面部がそれぞれの保持スリーブの先端面に固定されていることが好ましい。
【００４１】
この場合、一方のレンズ毛細管アッセンブリの第１のレンズと、他方のレンズ毛細管アッセンブリの第２のレンズとは、それぞれ、光ファイバから出射された光を平行光にし、また、平行光を集光して光ファイバに入射させる機能を有するものとすることができる。また、第１のレンズと第の２レンズは、ＧＲＩＮレンズ、ドラムレンズ、Ｃレンズ、又は非球面レンズであっても良いが、その一方又は双方は、半球状を呈するレンズ（以下、半球状レンズともいう）であることが好ましい。この半球状レンズにおける球面部の球面頂点から曲率中心を通って平面部に至る中心軸に対応する線分の長さ（Ｌ）は、球面部の曲率半径と同じか、それよりも大きいことが好ましい。このようにすれば、球面部と平面部との境界に鋭角部が形成されなくなるので、半球状レンズに欠け等の損傷が生じ難くなり、また、ピンセット等の把持治具を用いて容易に取り扱うことができる。尚、平面部は上記の線分と直交する面となる。上記の半球状レンズは、ＧＲＩＮレンズ等に比べ、球面部の曲率半径や上記線分の長さ（Ｌ）等のレンズ形状や素材（材料の種類や組成）を変えるだけで、その光学特性を容易に変更できるという利点がある。
【００４２】
この場合、上記の半球状レンズは、球レンズの一部を加工することにより製作されてなることが好ましい。
【００４３】
即ち、この半球状レンズは、上記の平面部と、球レンズの球面の一部がそのまま残された球面部（部分球面）とを有している。そして、素材となる球レンズが高精度で作製できるため、この球レンズを加工して得られた半球状レンズは精度が高く、しかも比較的安価に作製することができる。
【００４４】
尚、前記レンズの平面部における少なくとも光が透過する面、及び／または前記レンズの先端面における少なくとも光が透過する面が、反射防止コートされていることが好ましい。
【００４５】
このようにすれば、レンズでの反射戻り光に起因するノイズが低減され、安定した高速の光通信を行う上で極めて有利となる。
【発明の効果】
【００４６】
以上のように本発明に係る光デバイス及びその光軸調整方法によれば、レンズ毛細管アッセンブリの光軸調整を適切且つ容易に行うことが可能となると共に、光学特性や耐候性等の性能面において高い信頼性を得ることが可能となる。
【発明を実施するための最良の形態】
【００４７】
以下、本発明の実施形態を添付図面を参照して説明する。
【００４８】
図１は、本発明の第１実施形態に係る光デバイス１の概略構成を示し、同図の（ａ）は横断平面図、（ｂ）は縦断側面図、（ｃ）は同図（ｂ）の右側の第１毛細管３ａを光機能部品１０側から見た端面図、（ｄ）は同図（ｂ）の左側の第２毛細管３ｂを光機能部品１０側から見た端面図である（図２〜図８の（ａ）、（ｂ）、（ｃ）、（ｄ）及び図９〜図２４の（ａ）、（ｂ）についても同様、但し、図２、図４、図５、図７の（ｃ）、（ｄ）は、Ｘ・Ｙ軸が９０度相違している）。
【００４９】
図１（ａ）、（ｂ）に示すように、光デバイス（この実施形態では光分波合波器）１は、２本の光ファイバ２ａ、２ｂが挿入固定された２芯用の第１毛細管３ａが第１保持スリーブ４ａの内孔に挿入され且つ第１保持スリーブ４ａの先端に第１レンズ５ａが固定された第１レンズ毛細管アッセンブリ６と、１本の光ファイバ２ｃが挿入固定された単芯用の第２毛細管３ｂが第２保持スリーブ４ｂの内孔に挿入され且つ第２保持スリーブ４ｂの先端に第２レンズ５ｂが固定された第２レンズ毛細管アッセンブリ７とを備えている。そして、第１レンズ毛細管アッセンブリ６と第２レンズ毛細管アッセンブリ７とは、第１レンズ５ａと第２レンズ５ｂとが対向した状態で、第１保持スリーブ４ａの先端側部分と第２保持スリーブ４ｂの先端側部分とが収容スリーブ（収容部材）８の内孔に挿入されている。更に、収容スリーブ８の内孔には、取付スリーブ９が嵌合固定され、この取付スリーブ９の一端面に光機能部品としての光学フィルタ（この実施形態ではＷＤＭフィルタ）１０が固定されると共に、この光学フィルタ１０は、第１レンズ５ａと第２レンズ５ｂとの間に両者から所定の隙間を設けて介装されている。
【００５０】
第１レンズ５ａ及び第２レンズ５ｂは両者共に、球レンズの一部を切除して平面部５ａａ、５ｂａを形成した半球状レンズであって、その平面部５ａａ、５ｂａと直交する中心軸上における該平面部５ａａ、５ｂａから球面頂部までの寸法は、球面の曲率半径よりも僅かに長くなる形態を有している。また、第１保持スリーブ４ａの先端面４ａａ及び第２保持スリーブ４ｂの先端面４ｂａは、同図（ｂ）に示す側面視において、光学フィルタ１０の両側で相対称となるように傾斜しており、これらの先端面４ａａ、４ｂａにそれぞれ平面部５ａａ、５ｂａが固定されている第１レンズ５ａ及び第２レンズ５ｂの中心軸も同様の方向性をもって同一角度で傾斜している。更に、第１毛細管３ａの先端面３ａａ及び第２毛細管３ｂの先端面３ｂａも、第１レンズ５ａの平面部５ａａ及び第２レンズ５ｂの平面部５ｂａとの間に所定の空隙を設けて同様の方向性をもって傾斜し、それらの水平面に対する傾斜角度は、両レンズ５ａ、５ｂの平面部５ａａ、５ｂａの傾斜角度よりも小さくなっている。尚、同図（ａ）に示す平面視では、両保持スリーブ４ａ、４ｂの先端面４ａａ、４ｂａ、両毛細管３ａ、３ｂの先端面３ａａ、３ｂａ、及び両レンズ５ａ、５ｂの平面部５ａａ、５ｂａは、全てが非傾斜状態となっている。また、両毛細管３ａ、３ｂの先端面３ａａ、３ｂａの下端部には、傾斜の方向を認識させるための非傾斜部３ａｘ、３ｂｘが形成されている。
【００５１】
同図（ｃ）に示すように、第１毛細管３ａには、Ｘ、Ｙ方向の中心位置（中心軸上）に第１の光ファイバ２ａが挿入固定されると共に、これに隣接するＹ軸上の位置（最大傾斜している方向に隣接する位置）に第２の光ファイバ２ｂが挿入固定されている。一方、同図（ｄ）に示すように、第２毛細管３ｂには、Ｘ、Ｙ方向の中心位置（中心軸上）に第３の光ファイバ２ｃのみが挿入固定されている。そして、この光デバイス１の光路としては、第２の光ファイバ２ｂから２波長の多重光が出射された場合に、一の波長の光が光学フィルタ１０の一端面１０ａで反射されて第１の光ファイバ２ａに入射され且つ他の波長の光が光学フィルタ１０を透過して第３の光ファイバ２ｃに入射される分波の態様と、第１の光ファイバ２ａと第３の光ファイバ２ｃとから異なる波長の単一光がそれぞれ出射された場合に、この２種の単一光を何れも第２の光ファイバ２ｂに入射させる合波の態様とがある。
【００５２】
収容スリーブ８は、その内孔及び外周面が単一の中心軸を有し且つ全長に亘って同径とされた単一の部材である。そして、この収容スリーブ８の内孔に、両保持スリーブ４ａ、４ｂ、両毛細管３ａ、３ｂ、及び光学フィルタ１０が、全て同軸上に配置されている。更に、両レンズ５ａ、５ｂの基端面である平面部５ａａ、５ｂａはそれぞれ、両保持スリーブ４ａ、４ｂの内孔よりも径が大きくされ、両レンズ５ａ、５ｂの平面部５ａａ、５ｂａ及び球面部のそれぞれの表面には、反射防止膜が形成されている。そして、両レンズ５ａ、５ｂの最大外径部の外周面と収容スリーブ８の内孔（内周面）との間のクリアランスＡは、両保持スリーブ４ａ、４ｂの外周面と収容スリーブ８の内周面との間の接着剤充填クリアランスＢよりも大きくされ、且つこの接着剤充填クリアランスＢの大きさは、両保持スリーブ４ａ、４ｂの内周面と両毛細管３ａ、３ｂの外周面との間のクリアランスＣと同等とされている。
【００５３】
この光デバイス１の光軸調整は、次のようにして行われる。即ち、第１保持スリーブ４ａの先端に第１レンズ５ａを固定した状態で、第１及び第２の光ファイバ２ａ、２ｂが挿入固定された第１毛細管３ａを第１保持スリーブ４ａの内孔に回動可能に挿入すると共に、第１保持スリーブ４ａの先端側部分を収容スリーブ８の内孔に回動可能に挿入する。この時点においては、収容スリーブ８の内孔に取付スリーブ９が挿入固定され、且つ取付スリーブ９の一端面に光学フィルタ１０が固定されている。このような状態の下で、光デバイス１を分波の態様で使用するには、第１保持スリーブ４ａに対して第１毛細管３ａを軸芯周りに相対回転させつつ第１保持スリーブ４ａを収容スリーブ８に対して軸芯廻りに相対回転させて、第２の光ファイバ２ｂから出射した２波長の多重光のうち１の波長の光が光学フィルタ１０で反射して第１の光ファイバ２ａに的確に入射する位置または状態を探し出す。この場合には、必要に応じて各部品３ａ、４ａ、８の相互間の軸方向位置も調整する。そして、この探し出された状態を維持して、第１毛細管３ａと第１保持スリーブ４ａとの間及び第１保持スリーブ４ａと収容スリーブ８との間に充填されている接着剤を固化させる。これにより、第１レンズ毛細管アッセンブリ６の光軸調整が完了する。
【００５４】
この後、第２レンズ５ｂが固定された第２保持スリーブ４ｂの内孔に、第３の光ファイバ２ｃが挿入固定された第２毛細管３ｂを回動可能に挿入すると共に、第２保持スリーブ４ｂを収容スリーブ８の内孔に回動可能に挿入する。そして、第２保持スリーブ４ｂに対して第２毛細管３ｂを軸芯周りに相対回転させつつ第２保持スリーブ４ｂを収容スリーブ８に対して軸芯廻りに相対回転させて、第２の光ファイバ２ｂから出射した２波長の多重光のうち他の波長の光が光学フィルタ１０を透過して第３の光ファイバ２ｃに的確に入射する位置または状態を探し出す。この場合にも、必要に応じて各部品３ｂ、４ｂ、８の相互間の軸方向位置を調整する。そして、この探し出された状態を維持して、第２毛細管３ｂと第２保持スリーブ４ｂとの間及び第２保持スリーブ４ｂと収容スリーブ８との間に充填されている接着剤を固化させる。これにより、第２レンズ毛細管アッセンブリ７の光軸調整が完了する。
【００５５】
図２は、本発明の第２実施形態に係る光デバイス１の概略構成を示している。この第２実施形態に係る光デバイス１が、上述の第１実施形態と相違している点は、第１及び第２毛細管３ａ、３ｂの先端面３ａａ、３ｂａが平面視で傾斜し且つ側面視で非傾斜状態となっている点である。従って、第１及び第２の光ファイバ２ａ、２ｂは、非傾斜方向に隣接している。このような構成によっても、上述の第１実施形態と実質的に同様の作用効果が得られる。そして、その他の構成は、上述の第１実施形態と同一であるので、共通の構成要件については同一符号を付し、その説明を省略する。
【００５６】
図３は、本発明の第３実施形態に係る光デバイス１の概略構成を示している。この第３実施形態に係る光デバイス１が、上述の第１実施形態と相違している点は、第１毛細管３ａが３芯用であって、同図（ｃ）に示すように、第１毛細管３ａの中心軸上の第１の光ファイバ２ａ及びその一方側に隣接する第２の光ファイバ２ｂに加えて、第１の光ファイバ２ａの他方側に隣接する第４の光ファイバ２ｄを備えている点である。そして、実際に光伝送に使用されるのは第１及び第２の光ファイバ２ａ、２ｂである。このような構成によっても、上述の第１実施形態と実質的に同様の作用効果が得られる。そして、その他の構成は、上述の第１実施形態と同一であるので、共通の構成要件については同一符号を付し、その説明を省略する。
【００５７】
図４は、本発明の第４実施形態に係る光デバイス１の概略構成を示している。この第４実施形態に係る光デバイス１が、上述の第３実施形態と相違している点は、第１及び第２毛細管３ａ、３ｂの先端面３ａａ、３ｂａが平面視で傾斜し且つ側面視で非傾斜となっている点である。従って、第１、第２及び第４の光ファイバ２ａ、２ｂ、２ｄは、非傾斜方向に隣接している。このような構成によっても、上述の第１実施形態と実質的に同様の作用効果が得られる。そして、その他の構成は、上述の第１実施形態と同一であるので、共通の構成要件については同一符号を付し、その説明を省略する。
【００５８】
図５は、本発明の第５実施形態に係る光デバイス１の概略構成を示している。この第５実施形態に係る光デバイス１が、上述の第１実施形態と相違している点は、第１レンズ５ａの中心軸が平面視で傾斜し且つ側面視で非傾斜となっているのに対して、第２レンズ５ｂの中心軸が平面視で非傾斜となり且つ側面視で傾斜している点と、第１毛細管３ａの先端面３ａａが平面視で非傾斜となり且つ側面視で傾斜しているのに対して、第２毛細管３ｂの先端面３ｂａが平面視で傾斜し且つ側面視で非傾斜となっている点と、第１及び第２の光ファイバ２ａ、２ｂがＹ軸に対して同方向にオフセットし且つＸ軸を挟んでその両側に隣接している点とである。このような構成によれば、第２の光ファイバ２ｂから出射した２波長の多重光のうち１の波長の光が光学フィルタ１０で反射して第１の光ファイバ２ａに入射すると共に、他の波長の光が光学フィルタ１０を透過して第３の光ファイバ２ｃに入射することになる（合波も行われる）。これ以外は、上述の第１実施形態と実質的に同様の作用効果が得られる。そして、その他の構成は、上述の第１実施形態と同一であるので、共通の構成要件については同一符号を付し、その説明を省略する。
【００５９】
図６は、本発明の第６実施形態に係る光デバイス１の概略構成を示している。この第６実施形態に係る光デバイス１が、上述の第５実施形態と相違している点は、第１毛細管３ａの先端面３ａａが平面視で傾斜し且つ側面視で非傾斜となっているのに対して、第２毛細管３ｂの先端面３ｂａが平面視で非傾斜となり且つ側面視で傾斜している点である。このような構成によっても、上述の第５実施形態と実質的に同様の作用効果が得られる。そして、その他の構成は、上述の第１実施形態と同一であるので、共通の構成要件については同一符号を付し、その説明を省略する。
【００６０】
図７は、本発明の第７実施形態に係る光デバイス１の概略構成を示している。この第７実施形態に係る光デバイス１が、上述の第５実施形態と相違している点は、第１毛細管３ａが４芯用であって、同図（ｃ）に示すように、第１毛細管３ａの中心軸の廻りに第１、第２、第５及び第６の光ファイバ２ａ、２ｂ、２ｅ、２ｆが配列され、詳しくは第１及び第２の光ファイバ２ａ、２ｂがＹ軸から一方向にオフセットしてＸ軸の両側に隣接し、第５及び第６の光ファイバ２ｅ、２ｆがＹ軸から他方向にオフセットしてＸ軸を挟んでその両側に隣接している点である。そして、実際に光伝送に使用されるのは第１及び第２の光ファイバ２ａ、２ｂである。このような構成によっても、上述の第５実施形態と実質的に同様の作用効果が得られる。そして、その他の構成は、上述の第１実施形態と同一であるので、共通の構成要件については同一符号を付し、その説明を省略する。
【００６１】
図８は、本発明の第８実施形態に係る光デバイス１の概略構成を示している。この第８実施形態に係る光デバイス１が、上述の第７実施形態と相違している点は、第１毛細管３ａの先端面３ａａが平面視で傾斜し且つ側面視で非傾斜となっているのに対して、第２毛細管３ｂの先端面３ｂａが平面視で非傾斜となり且つ側面視で傾斜している点とである。そして、第１及び第２の光ファイバ２ａ、２ｂがＹ軸に対して一方向にオフセットしてＸ軸の両側に隣接し且つ第５及び第６の光ファイバ２ｅ、２ｆがＹ軸に対して他方向にオフセットしてＸ軸の両側に隣接している点は同一である。このような構成によっても、上述の第５実施形態と実質的に同様の作用効果が得られる。そして、その他の構成は、上述の第１実施形態と同一であるので、共通の構成要件については同一符号を付し、その説明を省略する。
【００６２】
図９は、本発明の第９実施形態に係る光デバイス１の概略構成を示している。この第９実施形態に係る光デバイス１が、上述の第１実施形態と相違している点は、収容スリーブ８が第１収容スリーブ８ａと第２収容スリーブ８ｂとに軸方向において２分割されて両者が偏心して固定されている点と、第１収容スリーブ８ａの内孔に嵌合固定された取付スリーブ９の一端面に光学フィルタ１０が固定されている点と、第１レンズ５ａが平面視及び側面視の両視において非傾斜となっている点と、第１毛細管３ａの先端面３ａａ及び第２毛細管３ｂの先端面３ｂａの側面視における傾斜方向が相違している点と、２芯用の第１毛細管３ａに第１の光ファイバ２ａと第２の光ファイバ２ｂとがＹ軸上においてＸ軸を挟んで対称となる位置に隣接している点とである。このような構成によっても、第２の光ファイバ２ｂから出射した２波長の多重光のうち１の波長の光が光学フィルタ１０で反射して第１の光ファイバ２ａに入射すると共に、他の波長の光が光学フィルタ１０を透過して第３の光ファイバ２ｃに入射することになる（合波も行われる）。そして、この第９実施形態に係る光デバイス１によれば、上述の第１実施形態と同様に第１レンズ毛細管アッセンブリ６の光軸調整が適切に行われ得ることに加えて、第２レンズ毛細管アッセンブリ７の光軸調整を行う際には２個の収容スリーブ８ａ、８ｂの偏心度合いを可変調整することができ、正確な光軸調整及び接着剤層の薄肉化を図る上で有利となる。そして、その他の構成は、上述の第１実施形態と同一であるので、共通の構成要件については同一符号を付し、その説明を省略する。
【００６３】
図１０は、本発明の第１０実施形態に係る光デバイス１の概略構成を示している。この第１０実施形態に係る光デバイス１が、上述の第９実施形態と相違している点は、第１毛細管３ａの先端面３ａａ及び第２毛細管３ｂの先端面３ｂａが両者共に、平面視で相対称的に傾斜し且つ側面視で非傾斜となっている点である。このような構成であれば、上述の第９実施形態と同様の作用効果が得られる。そして、その他の構成は、上述の第１実施形態と同一であるので、共通の構成要件については同一符号を付し、その説明を省略する。
【００６４】
図１１は、本発明の第１１実施形態に係る光デバイス１の概略構成を示している。この第１１実施形態に係る光デバイス１が、上述の第９実施形態と相違している点は、２分割された第１収容スリーブ８ａと第２収容スリーブ８ｂとが偏心することなく同軸上に配置されて固定されている点と、第２保持スリーブが軸方向において２分割されると共に先端側の補助保持スリーブ１１が第２収容スリーブ８ｂの内孔に挿入され且つ補助保持スリーブ１１の基端に偏心して基端側の保持スリーブ４ｂが固定されている点と、この補助保持スリーブ１１の先端に第２レンズ５ｂが平面視及び側面視の両視において非傾斜状態で固定されている点とである。このような構成によっても、上述の第９実施形態と同様に第２保持スリーブの先端側の補助保持スリーブ１１と基端側の保持スリーブ４ｂとの偏心度合いを調整することによって光学調整を有利に行える等の作用効果が得られる。そして、その他の構成は、上述の第１実施形態と同一であるので、共通の構成要件については同一符号を付し、その説明を省略する。
【００６５】
図１２は、本発明の第１２実施形態に係る光デバイス１の概略構成を示している。この第１２実施形態に係る光デバイス１が、上述の第１１実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第９実施形態と同様の作用効果が得られる。そして、その他の構成は、上述の第１実施形態と同一であるので、共通の構成要件については同一符号を付し、その説明を省略する。
【００６６】
図１３は、本発明の第１３実施形態に係る光デバイス１の概略構成を示している。この第１３実施形態に係る光デバイス１が、上述の第９実施形態と相違している点は、収容スリーブ８が、軸方向両端側の第１収容スリーブ８ａ及び第２収容スリーブ８ｂと、軸方向中央部の第３収容スリーブ８ｃとに３分割されている点と、第３収容スリーブ８ｃと取付スリーブとが一体化されて第３収容スリーブ８ｃの一端面に光学フィルタ１０が固定されている点とである。そして、この第１３実施形態に係る光デバイス１によれば、上述の第９実施形態と同様に第１レンズ毛細管アッセンブリ６及び第２レンズ毛細管アッセンブリ７の光軸調整を正確に行うことができ且つ接着剤層の薄肉化を図る上で有利となることに加えて、光学フィルタ１０の位置調整も正確に行い得るという利点が得られる。そして、その他の構成は、上述の第１実施形態と同一であるので、共通の構成要件については同一符号を付し、その説明を省略する。
【００６７】
図１４は、本発明の第１４実施形態に係る光デバイス１の概略構成を示している。この第１４実施形態に係る光デバイス１が、上述の第１３実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第１３実施形態と同様の作用効果が得られる。そして、その他の構成は、上述の第１実施形態と同一であるので、共通の構成要件については同一符号を付し、その説明を省略する。
【００６８】
図１５は、本発明の第１５実施形態に係る光デバイス１の概略構成を示している。この第１５実施形態に係る光デバイス１が、上述の第１３実施形態と相違している点は、３分割された第１収容スリーブ８ａと第２収容スリーブ８ｂと第３収容スリーブ８ｃとが偏心することなく同軸上に配置されて固定されている点と、第２保持スリーブが軸方向において２分割されると共に先端側の補助保持スリーブ１１が第２収容スリーブ８ｂの内孔に挿入され且つ補助保持スリーブ１１の基端に偏心して基端側の保持スリーブ４ｂが固定されている点と、この補助保持スリーブ１１の先端に第２レンズ５ｂが平面視及び側面視の両視において非傾斜状態で固定されている点とである。このような構成によっても、上述の第１３実施形態と同様の作用効果が得られる。そして、その他の構成は、上述の第１実施形態と同一であるので、共通の構成要件については同一符号を付し、その説明を省略する。
【００６９】
図１６は、本発明の第１６実施形態に係る光デバイス１の概略構成を示している。この第１６実施形態に係る光デバイス１が、上述の第１５実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第１３実施形態と同様の作用効果が得られる。そして、その他の構成は、上述の第１実施形態と同一であるので、共通の構成要件については同一符号を付し、その説明を省略する。
【００７０】
図１７は、本発明の第１７実施形態に係る光デバイス１の概略構成を示している。この第１７実施形態に係る光デバイス１が、上述の第１３実施形態と相違している点は、第３収容スリーブ８ｃが第１収容スリーブ８ａ及び第２収容スリーブ８ｂと同一肉厚とされ且つその内孔に取付スリーブ９が嵌合固定されている点である。このような構成によっても、上述の第１３実施形態と同様の作用効果が得られる。そして、その他の構成は、上述の第１実施形態と同一であるので、共通の構成要件については同一符号を付し、その説明を省略する。
【００７１】
図１８は、本発明の第１８実施形態に係る光デバイス１の概略構成を示している。この第１８実施形態に係る光デバイス１が、上述の第１７実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第１３実施形態と同様の作用効果が得られる。そして、その他の構成は、上述の第１実施形態と同一であるので、共通の構成要件については同一符号を付し、その説明を省略する。
【００７２】
図１９は、本発明の第１９実施形態に係る光デバイス１の概略構成を示している。この第１９実施形態に係る光デバイス１が、上述の第１７実施形態と相違している点は、３分割された第１収容スリーブ８ａと第２収容スリーブ８ｂと第３収容スリーブ８ｃとが偏心することなく同軸上に配置されて固定されている点と、第２保持スリーブが軸方向において２分割されると共に先端側の補助保持スリーブ１１が第２収容スリーブ８ｂの内孔に挿入され且つ補助保持スリーブ１１の基端に偏心して基端側の保持スリーブ４ｂが固定されている点と、この補助保持スリーブ１１の先端に第２レンズ５ｂが平面視及び側面視の両視において非傾斜状態で固定されている点とである。このような構成によっても、上述の第１７実施形態と同様の作用効果が得られる。そして、その他の構成は、上述の第１実施形態と同一であるので、共通の構成要件については同一符号を付し、その説明を省略する。
【００７３】
図２０は、本発明の第２０実施形態に係る光デバイス１の概略構成を示している。この第２０実施形態に係る光デバイス１が、上述の第１９実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第１７実施形態と同様の作用効果が得られる。そして、その他の構成は、上述の第１実施形態と同一であるので、共通の構成要件については同一符号を付し、その説明を省略する。
【００７４】
図２１は、本発明の第２１実施形態に係る光デバイス１の概略構成を示している。この第２１実施形態に係る光デバイス１が、上述の第１７実施形態と相違している点は、第３収容スリーブ８ｃが第１レンズ５ａの外周側を覆う位置まで延びて取付スリーブ９よりも軸方向長さが長尺になっている点である。このような構成によっても、上述の第１７実施形態と同様の作用効果が得られる。そして、その他の構成は、上述の第１実施形態と同一であるので、共通の構成要件については同一符号を付し、その説明を省略する。
【００７５】
図２２は、本発明の第２２実施形態に係る光デバイス１の概略構成を示している。この第２２実施形態に係る光デバイス１が、上述の第２１実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第２１実施形態と同様の作用効果が得られる。そして、その他の構成は、上述の第１実施形態と同一であるので、共通の構成要件については同一符号を付し、その説明を省略する。
【００７６】
図２３は、本発明の第２３実施形態に係る光デバイス１の概略構成を示している。この第２３実施形態に係る光デバイス１が、上述の第２１実施形態と相違している点は、３分割された第１収容スリーブ８ａと第２収容スリーブ８ｂと第３収容スリーブ８ｃとが偏心することなく同軸上に配置されて固定されている点と、第２保持スリーブが軸方向において２分割されると共に先端側の補助保持スリーブ１１が第２収容スリーブ８ｂの内孔に挿入され且つ補助保持スリーブ１１の基端に偏心して基端側の保持スリーブ４ｂが固定されている点と、この補助保持スリーブ１１の先端に第２レンズ５ｂが平面視及び側面視の両視において非傾斜状態で固定されている点とである。このような構成によっても、上述の第２１実施形態と同様の作用効果が得られる。そして、その他の構成は、上述の第１実施形態と同一であるので、共通の構成要件については同一符号を付し、その説明を省略する。
【００７７】
図２４は、本発明の第２４実施形態に係る光デバイス１の概略構成を示している。この第２４実施形態に係る光デバイス１が、上述の第２３実施形態と相違している点は、第１毛細管３ａの先端面３ａａ及び第２毛細管３ｂの先端面３ｂａが平面視で相対称的に傾斜し且つ側面視で非傾斜となっている点である。このような構成によっても、上述の第２１実施形態と同様の作用効果が得られる。そして、その他の構成は、上述の第１実施形態と同一であるので、共通の構成要件については同一符号を付し、その説明を省略する。
【図面の簡単な説明】
【００７８】
【図１】本発明の第１実施形態に係る光デバイスの概略構成を示し、図１（ａ）は横断平面図、図１（ｂ）は縦断側面図、図１（ｃ）は第１毛細管の端面図、図１（ｄ）は第２毛細管の端面図である。
【図２】本発明の第２実施形態に係る光デバイスの概略構成を示し、図２（ａ）は横断平面図、図２（ｂ）は縦断側面図、図２（ｃ）は第１毛細管の端面図、図２（ｄ）は第２毛細管の端面図である。
【図３】本発明の第３実施形態に係る光デバイスの概略構成を示し、図３（ａ）は横断平面図、図３（ｂ）は縦断側面図、図３（ｃ）は第１毛細管の端面図、図３（ｄ）は第２毛細管の端面図である。
【図４】本発明の第４実施形態に係る光デバイスの概略構成を示し、図４（ａ）は横断平面図、図４（ｂ）は縦断側面図、図４（ｃ）は第１毛細管の端面図、図４（ｄ）は第２毛細管の端面図である。
【図５】本発明の第５実施形態に係る光デバイスの概略構成を示し、図５（ａ）は横断平面図、図５（ｂ）は縦断側面図、図５（ｃ）は第１毛細管の端面図、図５（ｄ）は第２毛細管の端面図である。
【図６】本発明の第６実施形態に係る光デバイスの概略構成を示し、図６（ａ）は横断平面図、図６（ｂ）は縦断側面図、図６（ｃ）は第１毛細管の端面図、図６（ｄ）は第２毛細管の端面図である。
【図７】本発明の第７実施形態に係る光デバイスの概略構成を示し、図７（ａ）は横断平面図、図７（ｂ）は縦断側面図、図７（ｃ）は第１毛細管の端面図、図７（ｄ）は第２毛細管の端面図である。
【図８】本発明の第８実施形態に係る光デバイスの概略構成を示し、図８（ａ）は横断平面図、図８（ｂ）は縦断側面図、図８（ｃ）は第１毛細管の端面図、図８（ｄ）は第２毛細管の端面図である。
【図９】本発明の第９実施形態に係る光デバイスの概略構成を示し、図９（ａ）は横断平面図、図９（ｂ）は縦断側面図である。
【図１０】本発明の第１０実施形態に係る光デバイスの概略構成を示し、図１０（ａ）は横断平面図、図１０（ｂ）は縦断側面図である。
【図１１】本発明の第１１実施形態に係る光デバイスの概略構成を示し、図１１（ａ）は横断平面図、図１１（ｂ）は縦断側面図である。
【図１２】本発明の第１２実施形態に係る光デバイスの概略構成を示し、図１２（ａ）は横断平面図、図１２（ｂ）は縦断側面図である。
【図１３】本発明の第１３実施形態に係る光デバイスの概略構成を示し、図１３（ａ）は横断平面図、図１３（ｂ）は縦断側面図である。
【図１４】本発明の第１４実施形態に係る光デバイスの概略構成を示し、図１４（ａ）は横断平面図、図１４（ｂ）は縦断側面図である。
【図１５】本発明の第１５実施形態に係る光デバイスの概略構成を示し、図１５（ａ）は横断平面図、図１５（ｂ）は縦断側面図である。
【図１６】本発明の第１６実施形態に係る光デバイスの概略構成を示し、図１６（ａ）は横断平面図、図１６（ｂ）は縦断側面図である。
【図１７】本発明の第１７実施形態に係る光デバイスの概略構成を示し、図１７（ａ）は横断平面図、図１７（ｂ）は縦断側面図である。
【図１８】本発明の第１８実施形態に係る光デバイスの概略構成を示し、図１８（ａ）は横断平面図、図１８（ｂ）は縦断側面図である。
【図１９】本発明の第１９実施形態に係る光デバイスの概略構成を示し、図１９（ａ）は横断平面図、図１９（ｂ）は縦断側面図である。
【図２０】本発明の第２０実施形態に係る光デバイスの概略構成を示し、図２０（ａ）は横断平面図、図２０（ｂ）は縦断側面図である。
【図２１】本発明の第２１実施形態に係る光デバイスの概略構成を示し、図２１（ａ）は横断平面図、図２１（ｂ）は縦断側面図である。
【図２２】本発明の第２２実施形態に係る光デバイスの概略構成を示し、図２２（ａ）は横断平面図、図２２（ｂ）は縦断側面図である。
【図２３】本発明の第２３実施形態に係る光デバイスの概略構成を示し、図２３（ａ）は横断平面図、図２３（ｂ）は縦断側面図である。
【図２４】本発明の第２４実施形態に係る光デバイスの概略構成を示し、図２４（ａ）は横断平面図、図２４（ｂ）は縦断側面図である。
【符号の説明】
【００７９】
１  光デバイス
２ａ  第１の光ファイバ
２ｂ  第２の光ファイバ
２ｃ  第３の光ファイバ
２ｄ  第４の光ファイバ
２ｅ  第５の光ファイバ
２ｆ  第６の光ファイバ
３ａ  第１毛細管
３ａａ  第１毛細管の先端面
３ａｘ  第１毛細管の先端面の下端の非傾斜部
３ｂ  第２毛細管
３ｂａ  第２毛細管の先端面
３ｂｘ  第２毛細管の先端面の下端の非傾斜部
４ａ  第１保持スリーブ
４ａａ  第１保持スリーブの先端面
４ｂ  第２保持スリーブ
４ｂａ  第２保持スリーブの先端面
５ａ  第１レンズ（半球状レンズ）
５ａａ  第１レンズの平面部
５ｂ  第２レンズ（半球状レンズ）
５ｂａ  第２レンズの平面部
６  第１レンズ毛細管アッセンブリ
７  第２レンズ毛細管アッセンブリ
８  収容スリーブ（収容部材）
８ａ  第１収容スリーブ
８ｂ  第２収容スリーブ
８ｃ  第３収容スリーブ
９  取付スリーブ
１０  光学フィルタ（光機能部品）
１０ａ  光学フィルタの一端面
１１  補助保持スリーブ
Ａ  レンズの最大外径部の外周面と収容スリーブの内孔（内周面）との間のクリアランス
Ｂ  保持スリーブの外周面と収容スリーブの内周面との間の接着剤充填クリアランス
Ｃ  保持スリーブの内周面と毛細管の外周面との間のクリアランス
【図１】
2008164828.tif 000003
【図２】
2008164828.tif 000004
【図３】
2008164828.tif 000005
【図４】
2008164828.tif 000006
【図５】
2008164828.tif 000007
【図６】
2008164828.tif 000008
【図７】
2008164828.tif 000009
【図８】
2008164828.tif 000010
【図９】
2008164828.tif 000011
【図１０】
2008164828.tif 000012
【図１１】
2008164828.tif 000013
【図１２】
2008164828.tif 000014
【図１３】
2008164828.tif 000015
【図１４】
2008164828.tif 000016
【図１５】
2008164828.tif 000017
【図１６】
2008164828.tif 000018
【図１７】
2008164828.tif 000019
【図１８】
2008164828.tif 000020
【図１９】
2008164828.tif 000021
【図２０】
2008164828.tif 000022
【図２１】
2008164828.tif 000023
【図２２】
2008164828.tif 000024
【図２３】
2008164828.tif 000025
【図２４】
2008164828.tif 000026